(57)【要約】【課題】移動局ＵＥの移動速度を高精度に推測する。【解決手段】本発明に係る移動通信方法は、無線基地局ｅＮＢ＃１が、セル＃１において「ＲＲＣ_Ｃｏｎｎｅｃｔｅｄ状態」にある移動局ＵＥに対して、「Ｍｅａｓｕｒｅｍｅｎｔ  Ｒｅｐｏｒｔ」によって「Ｍｏｂｉｌｉｔｙ  Ｓｔａｔｅ」を通知するように指示する「Ｍｅａｓｕｒｅｍｅｎｔ  Ｃｏｎｔｒｏｌ」を送信する工程Ａと、移動局ＵＥが、無線基地局ｅＮＢ＃１に対して、「Ｍｏｂｉｌｉｔｙ  Ｓｔａｔｅ」とセル＃２及びセル＃１０の品質とを含む「Ｍｅａｓｕｒｅｍｅｎｔ  Ｒｅｐｏｒｔ」を送信する工程Ｂとを有する。【選択図】図１０
2014039118.tif 000002
【特許請求の範囲】
【請求項１】
第１無線基地局配下の第１セル及び第２無線基地局配下の第２セルが隣接して配置されており、該第１セルのカバレッジエリア内に第３無線基地局配下の第３セルが配置されている移動通信システムにおける移動通信方法であって、
前記第１無線基地局が、前記第１セルにおいて接続状態にある移動局に対して、測定報告によって該移動局の移動状態を通知するように指示する測定設定情報を送信する工程Ａと、
前記移動局が、前記第１無線基地局に対して、該移動局の移動状態と前記第２セル及び前記第３セルの品質とを含む測定報告を送信する工程Ｂとを有することを特徴とする移動通信方法。
【請求項２】
前記工程Ｂにおいて、前記移動局は、該移動局の移動状態として、高速又は中速又は低速の少なくとも１つを示す指示情報を前記測定報告に含めることを特徴とする請求項１に記載の移動通信方法。
【請求項３】
前記工程Ｂにおいて、前記移動局は、該移動局の移動状態として、ドップラー周波数の推定結果を前記測定報告に含めることを特徴とする請求項１に記載の移動通信方法。
【請求項４】
前記第１無線基地局が、受信した前記測定報告に基づいて、前記移動局のハンドオーバ先セルを前記第２セル又は前記第３セルのどちらにするか判定する工程Ｃを更に有することを特徴とする請求項１乃至３のいずれか一項に記載の移動通信方法。
【請求項５】
第１無線基地局配下の第１セル及び第２無線基地局配下の第２セルが隣接して配置されており、該第１セルのカバレッジエリア内に第３無線基地局配下の第３セルが配置されている移動通信システムにおいて該第１無線基地局として利用可能な無線基地局であって、
前記第１セルにおいて接続状態にある移動局に対して、測定報告によって該移動局の移動状態を通知するか否かについて指示する測定設定情報を送信するように構成されている送信部と、
前記移動局から、該移動局の移動状態と前記第２セル及び前記第３セルの品質とを含む測定報告を受信するように構成されている受信部とを具備することを特徴とする無線基地局。
【請求項６】
前記受信部によって受信された前記測定報告に基づいて、前記移動局のハンドオーバ先セルを前記第２セル又は前記第３セルのどちらにするか判定するように構成されている制御部を更に具備することを特徴とする請求項５に記載の無線基地局。
【請求項７】
第１無線基地局配下の第１セル及び第２無線基地局配下の第２セルが隣接して配置されており、該第１セルのカバレッジエリア内に第３無線基地局配下の第３セルが配置されている移動通信システムで利用可能な移動局であって、
前記第１セルにおいて接続状態にある場合に、前記第１無線基地局から、測定報告によって該移動局の移動状態を通知するように指示する測定設定情報を受信するように構成されている受信部と、
前記第１無線基地局に対して、該移動局の移動状態と前記第２セル及び前記第３セルの品質とを含む測定報告を送信するように構成されている送信部とを具備することを特徴とする移動局。
【請求項８】
前記送信部は、前記移動局の移動状態として、高速又は中速又は低速の少なくとも１つを示す指示情報を前記測定報告に含めるように構成されていることを特徴とする請求項７に記載の移動局。
【請求項９】
前記送信部は、前記移動局の移動状態として、ドップラー周波数の推定結果を前記測定報告に含めるように構成されていることを特徴とする請求項７に記載の移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式では、図１１及び図１２に示すように、マクロセル（Ｍａｃｒｏ  ｃｅｌｌ）のカバレッジエリア内にスモールセル（Ｓｍａｌｌ  ｃｅｌｌ）を配置する「Ｈｅｔｅｒｏｇｅｎｅｏｕｓ  Ｎｅｔｗｏｒｋ」を適用することができるように規定されている。
【０００３】
かかる「Ｈｅｔｅｒｏｇｅｎｅｏｕｓ  Ｎｅｔｗｏｒｋ」では、ＣＡ（Ｃａｒｒｉｅｒ  Ａｇｇｒｅｇａｔｉｏｎ）を行わない場合には、各移動局ＵＥについて、マクロセル（Ｍａｃｒｏ  ｃｅｌｌ）とスモールセル（Ｓｍａｌｌ  ｃｅｌｌ）との間でハンドオーバを行い、スモールセルへのトラフィック分散を行うことができるように構成されている。
【０００４】
ここで、マクロセルで用いられる周波数とスモールセルで用いられる周波数とが異なる場合、上述のハンドオーバは、異周波ハンドオーバ（Ｉｎｔｅｒ-ｆｒｅｑ  Ｈａｎｄｏｖｅｒ）となる。
【０００５】
スモールセルのパスロスが急峻に変動する点、異周波ハンドオーバに先駆けて行う異周波測定処理（Ｉｎｔｅｒ-ｆｒｅｑ  Ｍｅａｓｕｒｅｍｅｎｔ）では、測定キャリア数に比例して測定時間が長くなる点に起因して、かかる異周波ハンドオーバの成功率が低下する懸念がある。
【０００６】
特に、移動局ＵＥの移動速度が速い場合、かかる異周波ハンドオーバの成功率が顕著に劣化する懸念がある。
【０００７】
したがって、図１１に示すように、低速移動中の移動局ＵＥについては、スモールセルにハンドオーバさせ、図１２に示すように、高速移動中の移動局ＵＥについてはスモールセルにハンドオーバさせずにマクロセルに留まらせるという制御が行われることが考えられる。
【０００８】
かかる制御を行う場合、無線基地局ｅＮＢが、移動局ＵＥの移動速度或いは移動局ＵＥの移動速度に関連する情報について、かかるハンドオーバの実行前に取得する必要がある。
【先行技術文献】
【非特許文献】
【０００９】
【非特許文献１】３ＧＰＰ  ＴＳ３６.３００
【非特許文献２】３ＧＰＰ  ＴＳ３６.３３１
【発明の概要】
【発明が解決しようとする課題】
【００１０】
既存のＬＴＥ方式の仕組みにおいて、無線基地局ｅＮＢが移動局ＵＥの移動速度或いは移動局ＵＥの移動速度に関連する情報について取得する方法としては、以下の２つの方法が想定される。
【００１１】
第１に、無線基地局ｅＮＢが、周辺の無線基地局ｅＮＢから取得した「ＵＥ  ｈｉｓｔｏｒｙ  ｉｎｆｏｒｍａｔｉｏｎ」に含まれる移動局ＵＥが過去に在圏した複数のセルの滞在時間に基づいて、移動局ＵＥの移動速度を推定する方法が想定される。
【００１２】
しかしながら、かかる方法では、移動局ＵＥの在圏セルの滞在時間から移動局ＵＥの移動速度を推定しているため、移動局ＵＥの移動速度の推定精度が低くなってしまうという問題点があった。
【００１３】
第２に、無線基地局ｅＮＢが、移動局ＵＥからの上りリンク信号、例えば、ＳＲＳ（Ｓｏｕｎｄｉｎｇ  Ｒｅｆｅｒｅｎｃｅ  Ｓｉｇｎａｌ）等によるドップラー周波数に基づいて、移動局ＵＥの移動速度を推定する方法が想定される。
【００１４】
しかしながら、ＬＴＥ方式では、上りリンクにおいて常に送信され続ける信号が存在しないため、かかる方法では、測定精度の高い移動局ＵＥの移動速度の推定を行うことが難しいという問題点があった。
【００１５】
そこで、本発明は、上述の課題に鑑みてなされたものであり、移動局ＵＥの移動速度を高精度に推測することができる移動通信方法、無線基地局及び移動局を提供することを目的とする。
【課題を解決するための手段】
【００１６】
本発明の第１の特徴は、第１無線基地局配下の第１セル及び第２無線基地局配下の第２セルが隣接して配置されており、該第１セルのカバレッジエリア内に第３無線基地局配下の第３セルが配置されている移動通信システムにおける移動通信方法であって、前記第１無線基地局が、前記第１セルにおいて接続状態にある移動局に対して、測定報告によって該移動局の移動状態を通知するように指示する測定設定情報を送信する工程Ａと、前記移動局が、前記第１無線基地局に対して、該移動局の移動状態と前記第２セル及び前記第３セルの品質とを含む測定報告を送信する工程Ｂとを有することを要旨とする。
【００１７】
本発明の第２の特徴は、第１無線基地局配下の第１セル及び第２無線基地局配下の第２セルが隣接して配置されており、該第１セルのカバレッジエリア内に第３無線基地局配下の第３セルが配置されている移動通信システムにおいて該第１無線基地局として利用可能な無線基地局であって、前記第１セルにおいて接続状態にある移動局に対して、測定報告によって該移動局の移動状態を通知するか否かについて指示する測定設定情報を送信するように構成されている送信部と、前記移動局から、該移動局の移動状態と前記第２セル及び前記第３セルの品質とを含む測定報告を受信するように構成されている受信部とを具備することを要旨とする。
【００１８】
本発明の第３の特徴は、第１無線基地局配下の第１セル及び第２無線基地局配下の第２セルが隣接して配置されており、該第１セルのカバレッジエリア内に第３無線基地局配下の第３セルが配置されている移動通信システムで利用可能な移動局であって、前記第１セルにおいて接続状態にある場合に、前記第１無線基地局から、測定報告によって該移動局の移動状態を通知するように指示する測定設定情報を受信するように構成されている受信部と、前記第１無線基地局に対して、該移動局の移動状態と前記第２セル及び前記第３セルの品質とを含む測定報告を送信するように構成されている送信部とを具備することを要旨とする。
【発明の効果】
【００１９】
以上説明したように、本発明によれば、移動局ＵＥの移動速度を高精度に推測することができる移動通信方法、無線基地局及び移動局を提供することができる。
【図面の簡単な説明】
【００２０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される情報要素「ＲｅｐｏｒｔＣｏｎｆｉｇＥＵＴＲＡ」の一例を示す図である。
【図４】本発明の第１の実施形態に係る無線基地局によって送信される情報要素「ＲｅｐｏｒｔＣｏｎｆｉｇＩｎｔｅｒＲＡＴ」の一例を示す図である。
【図５】本発明の第１の実施形態に係る移動局の機能ブロック図である。
【図６】本発明の第１の実施形態に係る移動局によって送信される情報要素「ＭｅａｓＲｅｓｕｌｔ」の一例を示す図である。
【図７】本発明の第１の実施形態に係る移動局によって送信される情報要素「ＭｅａｓＲｅｓｕｌｔ」の一例を示す図である。
【図８】本発明の第１の実施形態に係る移動局によって送信される情報要素「ＭｅａｓＲｅｓｕｌｔ」内の情報要素「ＤｏｐｐｌｅｒＦｒｅｑｕｅｎｃｙ-Ｒａｎｇｅ」の一例を示す図である。
【図９】本発明の第１の実施形態に係る移動通信システムの動作を示すシーケンス図である。
【図１０】本発明の第１の実施形態に係る移動通信システムの動作を示すシーケンス図である。
【図１１】従来技術について説明するための図である。
【図１２】従来技術について説明するための図である。
【発明を実施するための形態】
【００２１】
（本発明の第１の実施形態に係る移動通信システム）
図１乃至図１０を参照して、本発明の第１の実施形態に係る移動通信システムについて説明する。
【００２２】
図１に示すように、本実施形態に係る移動通信システムは、ＬＴＥ方式の移動通信システムであって、移動管理ノードＭＭＥ（Ｍｏｂｉｌｉｔｙ  Ｍａｎａｇｅｍｅｎｔ  Ｅｎｔｉｔｙ）と、ゲートウェイ装置Ｓ-ＧＷと、セル＃１を管理する無線基地局ｅＮＢ＃１と、セル＃２を管理する無線基地局ｅＮＢ＃２と、セル＃１０を管理する無線基地局ｅＮＢ＃１０とを具備している。
【００２３】
ここで、図１の例では、セル＃１及びセル＃２が、マクロセルであり、セル＃１０が、スモールセルであり、セル＃１及びセル＃２が隣接して配置されており、セル＃１のカバレッジエリア内に、セル＃１０が配置されているものとする。
【００２４】
図２に示すように、本実施形態に係る無線基地局ｅＮＢ＃１は、制御部１１と、送信部１２と、受信部１３とを具備している。
【００２５】
制御部１１は、無線基地局ｅＮＢ＃１における各種制御を行うように構成されており、送信部１２は、移動局ＵＥや無線基地局ｅＮＢ＃２/ｅＮＢ＃１０や移動管理ノードＭＭＥやゲートウェイ装置Ｓ-ＧＷに対して各種信号を送信するように構成されており、受信部１３は、移動局ＵＥや無線基地局ｅＮＢ＃２/ｅＮＢ＃１０や移動管理ノードＭＭＥやゲートウェイ装置Ｓ-ＧＷから各種信号を受信するように構成されている。
【００２６】
例えば、送信部１２は、セル＃１において「ＲＲＣ_Ｃｏｎｎｅｃｔｅｄ状態」にある移動局ＵＥに対して、「Ｍｅａｓｕｒｅｍｅｎｔ  Ｒｅｐｏｒｔ」によって「Ｍｏｂｉｌｉｔｙ  Ｓｔａｔｅ」を通知するように指示する「Ｍｅａｓｕｒｅｍｅｎｔ  Ｃｏｎｔｒｏｌ」を送信するように構成されている。
【００２７】
具体的には、図３に示すように、送信部１２は、かかる移動局ＵＥに対して、「ＲＲＣ  Ｃｏｎｎｅｃｔｉｏｎ  Ｒｅｃｏｎｆｉｇｕｒａｔｉｏｎ」内の情報要素「ＲｅｐｏｒｔＣｏｎｆｉｇＥＵＴＲＡ」内の情報要素「ｒｅｐｏｒｔＭｏｂｉｌｉｔｙＳｔａｔｅ-ｒ１２」によって、「Ｍｅａｓｕｒｅｍｅｎｔ  Ｒｅｐｏｒｔ」によって「Ｍｏｂｉｌｉｔｙ  Ｓｔａｔｅ」を通知するか否かについて指示するように構成されていてもよい。
【００２８】
或いは、図４に示すように、送信部１２は、かかる移動局ＵＥに対して、「ＲＲＣ  Ｃｏｎｎｅｃｔｉｏｎ  Ｒｅｃｏｎｆｉｇｕｒａｔｉｏｎ」内の情報要素「ＲｅｐｏｒｔＣｏｎｆｉｇＩｎｔｅｒＲＡＴ」内の情報要素「ｒｅｐｏｒｔＭｏｂｉｌｉｔｙＳｔａｔｅ-ｒ１２」によって、「Ｍｅａｓｕｒｅｍｅｎｔ  Ｒｅｐｏｒｔ」によって「Ｍｏｂｉｌｉｔｙ  Ｓｔａｔｅ」を通知するか否かについて指示するように構成されていてもよい。
【００２９】
例えば、受信部１３は、移動局ＵＥから、「Ｍｏｂｉｌｉｔｙ  Ｓｔａｔｅ」を含む「Ｍｅａｓｕｒｅｍｅｎｔ  Ｒｅｐｏｒｔ」を受信するように構成されている。
【００３０】
例えば、制御部１１は、移動局ＵＥのハンドオーバ処理を行うように構成されている。
【００３１】
ここで、制御部１１は、受信部１３によって受信された「Ｍｅａｓｕｒｅｍｅｎｔ  Ｒｅｐｏｒｔ」に含まれる「Ｍｏｂｉｌｉｔｙ  Ｓｔａｔｅ」とセル＃２及びセル＃１０の品質とに基づいて、移動局ＵＥのハンドオーバ先セルをセル＃２又はセル＃１０のどちらにするか判定するように構成されていてもよい。
【００３２】
例えば、制御部１１は、セル＃２及びセル＃１０の品質が所定品質を満たしていると判定した場合で、かつ、「Ｍｏｂｉｌｉｔｙ  Ｓｔａｔｅ」に基づいて移動局ＵＥが低速移動中であると判定した場合には、移動局ＵＥのハンドオーバ先セルをセル＃１０とすると判定してもよい。
【００３３】
一方、制御部１１は、セル＃２及びセル＃１０の品質が所定品質を満たしていると判定した場合で、かつ、「Ｍｏｂｉｌｉｔｙ  Ｓｔａｔｅ」に基づいて移動局ＵＥが高速移動中であると判定した場合には、移動局ＵＥのハンドオーバ先セルをセル＃２とするように判定してもよい。
【００３４】
図５に示すように、本実施形態に係る移動局ＵＥは、受信部２１と、測定部２２と、送信部２３とを具備している。
【００３５】
受信部２１は、無線基地局ｅＮＢ＃１/ｅＮＢ＃２/ｅＮＢ＃１０から各種信号を受信するように構成されており、測定部２２は、所定の測定処理（Ｍｅａｓｕｒｅｍｅｎｔ）を行うように構成されており、送信部２３は、無線基地局ｅＮＢ＃１/ｅＮＢ＃２/ｅＮＢ＃１０に対して各種信号を送信するように構成されている。
【００３６】
例えば、移動局ＵＥが、セル＃１において「ＲＲＣ_Ｃｏｎｎｅｃｔｅｄ状態」にある場合に、受信部２１は、無線基地局ｅＮＢ＃１から、「Ｍｅａｓｕｒｅｍｅｎｔ  Ｃｏｎｔｒｏｌ」を受信するように構成されている。
【００３７】
なお、測定部２２は、かかる「Ｍｅａｓｕｒｅｍｅｎｔ  Ｃｏｎｔｒｏｌ」に基づく測定処理を行うように構成されている。
【００３８】
例えば、測定部２２は、かかる「Ｍｅａｓｕｒｅｍｅｎｔ  Ｃｏｎｔｒｏｌ」において、「Ｍｅａｓｕｒｅｍｅｎｔ  Ｒｅｐｏｒｔ」によって「Ｍｏｂｉｌｉｔｙ  Ｓｔａｔｅ」を通知するように指示されている場合には、かかる「Ｍｏｂｉｌｉｔｙ  Ｓｔａｔｅ」を測定するように構成されている。
【００３９】
送信部２３は、無線基地局ｅＮＢ＃１に対して、「Ｍｅａｓｕｒｅｍｅｎｔ  Ｒｅｐｏｒｔ」を送信するように構成されている。
【００４０】
例えば、送信部２３は、かかる「Ｍｅａｓｕｒｅｍｅｎｔ  Ｃｏｎｔｒｏｌ」において、「Ｍｅａｓｕｒｅｍｅｎｔ  Ｒｅｐｏｒｔ」によって「Ｍｏｂｉｌｉｔｙ  Ｓｔａｔｅ」を通知するように指示されている場合には、指定されているセル（例えば、セル＃２及びセル＃１０）の品質の測定結果に加えて、「Ｍｏｂｉｌｉｔｙ  Ｓｔａｔｅ」の測定結果を含む「Ｍｅａｓｕｒｅｍｅｎｔ  Ｒｅｐｏｒｔ」を送信するように構成されている。
【００４１】
ここで、送信部２３は、「Ｍｏｂｉｌｉｔｙ  Ｓｔａｔｅ」として、「ｈｉｇｈ」又は「ｍｅｄｉｕｍ」又は「ｌｏｗ」の少なくとも１つを示す「ｍｏｂｉｌｉｔｙＳｔａｔｅ-ｒ１２」を「Ｍｅａｓｕｒｅｍｅｎｔ  Ｒｅｐｏｒｔ」に含めるように構成されていてもよい。
【００４２】
例えば、図６に示すように、送信部２３は、「Ｍｅａｓｕｒｅｍｅｎｔ  Ｒｅｐｏｒｔ」に含まれる情報要素「ＭｅａｓＲｅｓｕｌｔ」内の情報要素「ｍｏｂｉｌｉｔｙＳｔａｔｅ-ｒ１２」によって、「Ｍｏｂｉｌｉｔｙ  Ｓｔａｔｅ」として、「ｈｉｇｈ」又は「ｍｅｄｉｕｍ」のいずれかを通知するように構成されていてもよい。
【００４３】
或いは、図７及び図８に示すように、送信部２３は、「Ｍｅａｓｕｒｅｍｅｎｔ  Ｒｅｐｏｒｔ」に含まれる情報要素「ＭｅａｓＲｅｓｕｌｔ」内の情報要素「ｄｏｐｐｌｅｒＦｒｅｑｕｅｎｃｙＲｅｓｕｌｔ」内の情報要素「ＤｏｐｐｌｅｒＦｒｅｑｕｅｎｃｙ-Ｒａｎｇｅ」内の情報要素「ＲＳＲＰ-Ｒａｎｇｅ」によって、「Ｍｏｂｉｌｉｔｙ  Ｓｔａｔｅ」として、ドップラー周波数の推定結果を通知するように構成されていてもよい。
【００４４】
以下、図９及び図１０を参照して、本実施形態に係る移動通信システムの動作について説明する。
【００４５】
図９及び図１０に、本実施形態に係る移動通信システムにおける移動局ＵＥのハンドオーバ処理に係るシーケンスを示す。
【００４６】
図９及び図１０に示すように、ステップ１において、無線基地局ｅＮＢ＃１は、セル＃１において「ＲＲＣ_Ｃｏｎｎｅｃｔｅｄ状態」である移動局ＵＥに対して、ハンドオーバ処理に係る測定処理（例えば、「Ｅｖｅｎｔ  Ａ３」）を設定する際に、「Ｍｏｂｉｌｉｔｙ  Ｓｔａｔｅ」についても報告するように設定する。
【００４７】
ステップ２において、移動局ＵＥは、「Ｅｖｅｎｔ  Ａ３」の「ｅｎｔｅｒｉｎｇ  ｃｏｎｄｉｔｉｏｎ」が満たされたと判定する場合に、無線基地局ｅＮＢ＃１に対して、「Ｍｏｂｉｌｉｔｙ  Ｓｔａｔｅ」を含む「Ｍｅａｓｕｒｅｍｅｎｔ  Ｒｅｐｏｒｔ」を送信する。
【００４８】
ステップ３において、無線基地局ｅＮＢ＃１は、かかる「Ｍｅａｓｕｒｅｍｅｎｔ  Ｒｅｐｏｒｔ」に基づいて、移動局ＵＥのハンドオーバ先セルをセル＃２又はセル＃１０のどちらにするか判定する。
【００４９】
以上に述べた本実施形態の特徴は、以下のように表現されていてもよい。
【００５０】
本実施形態の第１の特徴は、無線基地局ｅＮＢ＃１（第１無線基地局）配下のセル＃１（第１セル）及び無線基地局ｅＮＢ＃２（第２無線基地局）配下のセル＃２（第２セル）が隣接して配置されており、セル＃１のカバレッジエリア内に無線基地局ｅＮＢ＃１０（第３無線基地局）配下のセル＃１０（第３セル）が配置されている移動通信システムにおける移動通信方法であって、無線基地局ｅＮＢ＃１が、セル＃１において「ＲＲＣ_Ｃｏｎｎｅｃｔｅｄ状態（接続状態）」にある移動局ＵＥに対して、「Ｍｅａｓｕｒｅｍｅｎｔ  Ｒｅｐｏｒｔ（測定報告）」によって「Ｍｏｂｉｌｉｔｙ  Ｓｔａｔｅ（移動局の移動状態）」を通知するように指示する「Ｍｅａｓｕｒｅｍｅｎｔ  Ｃｏｎｔｒｏｌ（測定設定情報）」を送信する工程Ａと、移動局ＵＥが、無線基地局ｅＮＢ＃１に対して、「Ｍｏｂｉｌｉｔｙ  Ｓｔａｔｅ」とセル＃２及びセル＃１０の品質とを含む「Ｍｅａｓｕｒｅｍｅｎｔ  Ｒｅｐｏｒｔ」を送信する工程Ｂとを有することを要旨とする。
【００５１】
かかる構成によれば、無線基地局ｅＮＢ＃１が、移動局ＵＥのハンドオーバ処理の実行前に、移動局ＵＥからの「Ｍｅａｓｕｒｅｍｅｎｔ  Ｒｅｐｏｒｔ」を介して、移動局ＵＥの移動状態を取得することができる。
【００５２】
本実施形態の第１の特徴において、工程Ｂにおいて、移動局ＵＥは、「Ｍｏｂｉｌｉｔｙ  Ｓｔａｔｅ」として、「ｈｉｇｈ（高速）」又は「ｍｅｄｉｕｍ（中速）」又は「ｌｏｗ（低速）」の少なくとも１つを示す「ｍｏｂｉｌｉｔｙＳｔａｔｅ-ｒ１２（指示情報）」を「Ｍｅａｓｕｒｅｍｅｎｔ  Ｒｅｐｏｒｔ」に含めてもよい。
【００５３】
かかる構成によれば、移動局ＵＥが、移動局ＵＥの移動速度を高精度に算出することができる場合に、無線基地局ｅＮＢ＃１は、かかる移動局ＵＥの移動速度を、最小限のデータ量で取得することができる。
【００５４】
本実施形態の第１の特徴において、工程Ｂにおいて、移動局ＵＥは、「Ｍｏｂｉｌｉｔｙ  Ｓｔａｔｅ」として、「ｄｏｐｐｌｅｒＦｒｅｑｕｅｎｃｙＲｅｓｕｌｔ（ドップラー周波数の推定結果）」を「Ｍｅａｓｕｒｅｍｅｎｔ  Ｒｅｐｏｒｔ」に含めてもよい。
【００５５】
かかる構成によれば、無線基地局ｅＮＢ＃１は、移動局ＵＥにおけるドップラー周波数の推定結果を取得することで、より精度良く移動局ＵＥの移動速度を推定することができる。
【００５６】
本実施形態の第１の特徴において、無線基地局ｅＮＢ＃１が、受信した「Ｍｅａｓｕｒｅｍｅｎｔ  Ｒｅｐｏｒｔ」に基づいて、移動局ＵＥのハンドオーバ先セルをセル＃２又はセル＃１０のどちらにするか判定する工程Ｃを更に有してもよい。
【００５７】
かかる構成によれば、無線基地局ｅＮＢ＃１が、低速移動中の移動局ＵＥについては、スモールセル（セル＃１０）にハンドオーバさせ、高速移動中の移動局ＵＥについてはスモールセル（セル＃１０）にハンドオーバさせずにマクロセル（セル＃１）に留まらせるという制御を容易に行うことができる。
【００５８】
本実施形態の第２の特徴は、無線基地局ｅＮＢ＃１配下のセル＃１及び無線基地局ｅＮＢ＃２配下のセル＃２が隣接して配置されており、セル＃１のカバレッジエリア内に無線基地局ｅＮＢ＃１０配下のセル＃１０が配置されている移動通信システムにおいて無線基地局ｅＮＢ＃１として利用可能な無線基地局ｅＮＢであって、セル＃１において「ＲＲＣ_Ｃｏｎｎｅｃｔｅｄ状態」にある移動局ＵＥに対して、「Ｍｅａｓｕｒｅｍｅｎｔ  Ｒｅｐｏｒｔ」によって「Ｍｏｂｉｌｉｔｙ  Ｓｔａｔｅ」を通知するか否かについて指示する「Ｍｅａｓｕｒｅｍｅｎｔ  Ｃｏｎｔｒｏｌ」を送信するように構成されている送信部１２と、移動局ＵＥから、「Ｍｏｂｉｌｉｔｙ  Ｓｔａｔｅ」とセル＃２及びセル＃１０の品質とを含む「Ｍｅａｓｕｒｅｍｅｎｔ  Ｒｅｐｏｒｔ」を受信するように構成されている受信部１３とを具備することを要旨とする。
【００５９】
かかる構成によれば、無線基地局ｅＮＢ＃１が、移動局ＵＥのハンドオーバ処理の実行前に、移動局ＵＥからの「Ｍｅａｓｕｒｅｍｅｎｔ  Ｒｅｐｏｒｔ」を介して、移動局ＵＥの移動状態を取得することができる。
【００６０】
本実施形態の第２の特徴において、受信部１３によって受信された「Ｍｅａｓｕｒｅｍｅｎｔ  Ｒｅｐｏｒｔ」に基づいて、移動局ＵＥのハンドオーバ先セルをセル＃２又はセル＃１０のどちらにするか判定するように構成されている制御部１１を更に具備してもよい。
【００６１】
かかる構成によれば、無線基地局ｅＮＢ＃１が、低速移動中の移動局ＵＥについては、スモールセル（セル＃１０）にハンドオーバさせ、高速移動中の移動局ＵＥについてはスモールセル（セル＃１０）にハンドオーバさせずにマクロセル（セル＃１）に留まらせるという制御を容易に行うことができる。
【００６２】
本実施形態の第３の特徴は、無線基地局ｅＮＢ＃１配下のセル＃１及び無線基地局ｅＮＢ＃２配下のセル＃２が隣接して配置されており、セル＃１のカバレッジエリア内に無線基地局ｅＮＢ＃１０配下のセル＃１０が配置されている移動通信システムで利用可能な移動局ＵＥであって、セル＃１において「ＲＲＣ_Ｃｏｎｎｅｃｔｅｄ状態」にある場合に、無線基地局ｅＮＢ＃１から、「Ｍｅａｓｕｒｅｍｅｎｔ  Ｒｅｐｏｒｔ」によって「Ｍｏｂｉｌｉｔｙ  Ｓｔａｔｅ」を通知するように指示する「Ｍｅａｓｕｒｅｍｅｎｔ  Ｃｏｎｔｒｏｌ」を受信するように構成されている受信部２１と、無線基地局ｅＮＢ＃１に対して、「Ｍｏｂｉｌｉｔｙ  Ｓｔａｔｅ」とセル＃２及びセル＃１０の品質とを含む「Ｍｅａｓｕｒｅｍｅｎｔ  Ｒｅｐｏｒｔ」を送信するように構成されている送信部２３とを具備することを要旨とする。
【００６３】
かかる構成によれば、移動局ＵＥが、無線基地局ｅＮＢ＃１に対して、移動局ＵＥのハンドオーバ処理の実行前に、移「Ｍｅａｓｕｒｅｍｅｎｔ  Ｒｅｐｏｒｔ」を用いて、移動局ＵＥの移動状態を通知することができる。
【００６４】
本実施形態の第３の特徴において、送信部２３は、「Ｍｏｂｉｌｉｔｙ  Ｓｔａｔｅ」として、「ｈｉｇｈ」又は「ｍｅｄｉｕｍ」又は「ｌｏｗ」の少なくとも１つを示す「ｍｏｂｉｌｉｔｙＳｔａｔｅ-ｒ１２」を「Ｍｅａｓｕｒｅｍｅｎｔ  Ｒｅｐｏｒｔ」に含めるように構成されていてもよい。
【００６５】
かかる構成によれば、移動局ＵＥが、移動局ＵＥの移動速度を高精度に算出することができる場合に、無線基地局ｅＮＢ＃１に対して、かかる移動局ＵＥの移動速度を、最小限のデータ量で通知することができる。
【００６６】
本実施形態の第３の特徴において、送信部２３は、「Ｍｏｂｉｌｉｔｙ  Ｓｔａｔｅ」として、「ｄｏｐｐｌｅｒＦｒｅｑｕｅｎｃｙＲｅｓｕｌｔ（ドップラー周波数の推定結果）」を「Ｍｅａｓｕｒｅｍｅｎｔ  Ｒｅｐｏｒｔ」に含めるように構成されていてもよい。
【００６７】
かかる構成によれば、移動局ＵＥが、移動局ＵＥの移動速度を高精度に算出することができないが、ドップラー周波数については高精度に推定することができる場合に、無線基地局ｅＮＢ＃１に対して、かかる移動局ＵＥにおけるドップラー周波数の推定結果を通知することができる。
【００６８】
なお、上述の移動局ＵＥや無線基地局ｅＮＢ＃１/ｅＮＢ＃２/ｅＮＢ＃１０の動作は、ハードウェアによって実施されてもよいし、プロセッサによって実行されるソフトウェアモジュールによって実施されてもよいし、両者の組み合わせによって実施されてもよい。
【００６９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２/ｅＮＢ＃１０内に設けられていてもよい。また、かかる記憶媒体及びプロセッサは、ディスクリートコンポーネントとして移動局ＵＥや無線基地局ｅＮＢ＃１/ｅＮＢ＃２/ｅＮＢ＃１０内に設けられていてもよい。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７２】
ＵＥ…移動局
ｅＮＢ＃１、ｅＮＢ＃２、ｅＮＢ＃１０…無線基地局
１１…制御部
１２、２３…送信部
１３、２１…受信部
２２…測定部
【図１】
2014039118.tif 000003
【図２】
2014039118.tif 000004
【図３】
2014039118.tif 000005
【図４】
2014039118.tif 000006
【図５】
2014039118.tif 000007
【図６】
2014039118.tif 000008
【図７】
2014039118.tif 000009
【図８】
2014039118.tif 000010
【図９】
2014039118.tif 000011
【図１０】
2014039118.tif 000012
【図１１】
2014039118.tif 000013
【図１２】
2014039118.tif 000014